(57)【要約】      （修正有）【課題】チオフェン環やチアゾール環にアゾ基が２つ置換したジスアゾ染料製造法の提供。【解決手段】式（１）のアミン類をジアゾ化した後、式（２）の２−アミノチオフェン類等と反応させて得られる式（３）のモノアゾ化合物を単離することなく、ジアゾ化した後、式（４）で表される化合物と反応させる式（５）のジスアゾ染料の製造方法。2007099823.tif 000014【選択図】なし【特許請求の範囲】
【請求項１】
下記一般式（５）で表されるジスアゾ染料の製造方法において、下記一般式（１）で表されるアミン類をジアゾ化剤でジアゾ化した後、下記一般式（２）で表される２−アミノチオフェン類または２−アミノチアゾール類と第１のカップリング反応させて、下記一般式（３）で表されるモノアゾ化合物を生成し、（Ａ）該モノアゾ化合物を単離せずにジアゾ化剤でジアゾ化した後、下記一般式（４）で表される化合物と第２のカップリング反応させる、または（Ｂ）該モノアゾ化合物を単離せずに一般式（４）で表される化合物を加えた後、ジアゾ化剤を添加して第２のカップリング反応させることを特徴とする、前記製造方法。
【化１】
2007099823.tif 000013
（式中、Ａは芳香族基または複素環基を表し、Ｒ１は水素原子または置換基を表し、Ｘは−ＣＲ２＝または窒素原子を表し、Ｘが−ＣＲ２＝である場合のＲ２は水素原子または置換基を表し、Ｒ３，Ｒ４，Ｚは、それぞれ独立して水素原子または置換基を表し、Ｒ５，Ｒ６は、それぞれ独立して水素原子、脂肪族基、芳香族基、複素環基、アシル基、アルコキシカルボニル基、アリールオキシカルボニル基、カルバモイル基、アルキルスルホニル基、アリールスルホニル基、またはスルファモイル基を表し、Ｙは−ＣＲ７＝または窒素原子を表し、Ｙが−ＣＲ７＝である場合のＲ７は水素原子または置換基を表す。）
【請求項２】
前記Ｙが窒素原子であることを特徴とする請求項１に記載の製造方法。
【請求項３】
前記一般式（１）で表されるアミン類に１つ以上のイオン性親水性基が置換していることを特徴とする請求項１または２に記載の製造方法。
【請求項４】
前記一般式（４）で表される化合物に１つ以上のイオン性親水性基が置換していることを特徴とする請求項１〜３のいずれかに記載の製造方法。
【請求項５】
第１のカップリング反応に用いるジアゾ化剤が亜硝酸塩、第２のカップリング反応に用いるジアゾ化剤が亜硝酸アルキルであることを特徴とする請求項１〜４のいずれかに記載の製造方法。
【請求項６】
反応溶媒として水または水／有機溶媒混合系を用いることを特徴とする請求項１〜５のいずれかに記載の製造方法。
【発明の詳細な説明】
【技術分野】
【０００１】
本発明は、ジスアゾ染料の製造方法に関するものである。より詳細には、本発明は、チオフェン環またはチアゾール環にアゾ基が２つ置換したジスアゾ染料を簡便で高収率に製造する方法に関するものである。
【背景技術】
【０００２】
アゾ染料は、従来、ハロゲン化銀カラー写真感光材料の分野において、画像形成用の色素及び染料として広く用いられている。一方、近年、インクジェット記録方法、カラー電子写真、感熱転写方式、印刷インク、記録ペン等の新しいカラー画像形成方法が実用に供されている。また、エレクトロニックイメージングの発展に伴って固体撮像管や撮影機器ではＣＣＤなどの撮像素子において、ディスプレーではＬＣＤやＰＤＰにおいて、カラー画像を記録／再現するためにカラーフィルターが使用されている。また、カラー液晶用フィルターの需要も増大している。
【０００３】
これらに用いる着色剤としては、一般的に染料や顔料が使用されており、その中でもアゾ染料は最も代表的な染料として広く知られている。特に、チオフェン環またはチアゾール環にアゾ基が２つ置換したジスアゾ染料は、さまざまな使用条件に耐えうる堅牢な着色剤であり、例えば、インクジェット用染料としての使用が特許文献１や特許文献２に記載されている。
【０００４】
特に、下記一般式（５）で表されるジスアゾ染料は、上記のごとき優れた特性を有するのみならず、その合成工程においても特徴がある。即ち、出発原料である２−アミノチオフェン類または２−アミノチアゾール類は、第１のカップリング反応ではカプラー成分として作用し、第２のカップリング反応ではジアゾ成分として作用する。つまり、チオフェン環またはチアゾール環の２位に置換したアミノ基は無保護の状態で第１のカップリング反応が進行するため、アミノ基の保護／脱保護を必要としないメリットがある。
【０００５】
しかし、一般式（５）で表されるジスアゾ染料の合成工程において、合成中間体である一般式（３）で表されるモノアゾ化合物を単離しようとするとろ過性が悪い欠点がある。この問題を解決するために、ろ過性改良に関する方法が知られている（特許文献３）が、この方法によれば界面活性剤の存在下で加熱処理するという工程を必要とするため、操作が非常に煩雑になるという問題があった。
【特許文献１】特開２００５−１２０３４６号公報
【特許文献２】特開２００５−１３９４２７号公報
【特許文献３】特公平３−３２５５０号明細書
【発明の開示】
【発明が解決しようとする課題】
【０００６】
上記のように一般式（５）で表されるジスアゾ染料の合成工程において、一般式（３）で表されるモノアゾ化合物を単離しようとするとろ過性が悪く、操作が煩雑になり収率も低下することが分かった。従って、本発明の目的は、簡便で高収率に一般式（５）で表されるジスアゾ染料を製造する方法を提供することにある。
【課題を解決するための手段】
【０００７】
本発明者らは、従来のこうした課題を克服すべく検討を行った結果、モノアゾ化合物を単離することなくジアゾ化剤でジアゾ化反応、次いでカプラー成分との第２のカップリング反応が円滑に進行することを見出し、目的とするジスアゾ染料を簡便で高収率に得られるようになった。
【０００８】
本発明は、以下のとおりである。
【０００９】
１．下記一般式（５）で表されるジスアゾ染料の製造方法において、下記一般式（１）で表されるアミン類をジアゾ化剤でジアゾ化した後、下記一般式（２）で表される２−アミノチオフェン類または２−アミノチアゾール類と第１のカップリング反応させて、下記一般式（３）で表されるモノアゾ化合物を生成し、（Ａ）該モノアゾ化合物を単離せずにジアゾ化剤でジアゾ化した後、下記一般式（４）で表される化合物と第２のカップリング反応させる、または（Ｂ）該モノアゾ化合物を単離せずに一般式（４）で表される化合物を加えた後、ジアゾ化剤を添加して第２のカップリング反応させることを特徴とする、前記製造方法。
【００１０】
【化１】
2007099823.tif 000002
【００１１】
（式中、Ａは芳香族基または複素環基を表し、Ｒ１は水素原子または置換基を表し、Ｘは−ＣＲ２＝または窒素原子を表し、Ｘが−ＣＲ２＝である場合のＲ２は水素原子または置換基を表し、Ｒ３，Ｒ４，Ｚは、それぞれ独立して水素原子または置換基を表し、Ｒ５，Ｒ６は、それぞれ独立して水素原子、脂肪族基、芳香族基、複素環基、アシル基、アルコキシカルボニル基、アリールオキシカルボニル基、カルバモイル基、アルキルスルホニル基、アリールスルホニル基、またはスルファモイル基を表し、Ｙは−ＣＲ７＝または窒素原子を表し、Ｙが−ＣＲ７＝である場合のＲ７は水素原子または置換基を表す。）
２．前記Ｙが窒素原子であることを特徴とする前記１に記載の製造方法。
【００１２】
３．前記一般式（１）で表されるアミン類に１つ以上のイオン性親水性基が置換していることを特徴とする前記１または２に記載の製造方法。
【００１３】
４．前記一般式（４）で表される化合物に１つ以上のイオン性親水性基が置換していることを特徴とする前記１〜３のいずれかに記載の製造方法。
【００１４】
５．第１のカップリング反応に用いるジアゾ化剤が亜硝酸塩、第２のカップリング反応に用いるジアゾ化剤が亜硝酸アルキルであることを特徴とする前記１〜４のいずれかに記載の製造方法。
【００１５】
６．反応溶媒として水または水／有機溶媒混合系を用いることを特徴とする前記１〜５のいずれかに記載の製造方法。
【００１６】
７．一般式（３）で表されるモノアゾ化合物に一般式（４）で表される化合物を加えた後、ジアゾ化剤を添加して第２のカップリング反応させることを特徴とする前記１〜６のいずれかに記載の製造方法。
【発明の効果】
【００１７】
本発明のジスアゾ染料の製造方法によれば、前記一般式（５）で表されるチオフェン環やチアゾール環にアゾ基が２つ置換したジスアゾ染料、特に分子内にイオン性親水性基を少なくとも１つ以上有するジスアゾ染料が簡便で高収率に得られる。
【発明を実施するための最良の形態】
【００１８】
以下、本発明のジスアゾ染料の製造方法について説明する。まず、本発明の製造方法で製造されるチオフェン環やチアゾール環にアゾ基が２つ置換した前記一般式（５）で表されるジスアゾ染料について詳細に説明する。
【００１９】
式中、Ｒ１，Ｒ２，Ｒ３，Ｒ４，ＺまたはＲ７で表される置換基は、例えば、ハロゲン原子、脂肪族基、アリール基、複素環基、シアノ基、ヒドロキシル基、ニトロ基、カルボキシル基、アルコキシ基、アリールオキシ基、シリルオキシ基、複素環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキルまたはアリールスルホニルアミノ基、メルカプト基、アルキルチオ基、アリールチオ基、複素環チオ基、スルファモイル基、スルホ基、アルキルまたはアリールスルフィニル基、アルキルまたはアリールスルホニル基、アシル基、アリールオキシカルボニル基、アルコキシカルボニル基、カルバモイル基、アリールまたは複素環アゾ基、イミド基、ホスフィノ基、ホスフィニル基、ホスフィニルオキシ基、ホスフィニルアミノ基、シリル基を意味する。
【００２０】
更に詳しくは、ハロゲン原子としては、例えば、フッ素原子、塩素原子、臭素原子、ヨウ素原子が挙げられる。
【００２１】
脂肪族基とは、アルキル基、置換アルキル基、アルケニル基、置換アルケニル基、アルキニル基、置換アルキニル基を意味する。
【００２２】
アルキル基としては、直鎖、分岐、環状の置換もしくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基におけるアルキル基）もこのような概念のアルキル基を表す。詳細には、アルキル基としては、好ましくは、炭素数１から３０のアルキル基、例えば、メチル基、エチル基、ｎ−プロピル基、イソプロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換または無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換もしくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００２３】
アルケニル基としては、直鎖、分岐、環状の置換もしくは無置換のアルケニル基が挙げられ、シクロアルケニル基、ビシクロアルケニル基を包含する。詳細には、アルケニル基としては、好ましくは、炭素数２から３０の置換または無置換のアルケニル基、例えば、ビニル基、アリル基、プレニル基、ゲラニル基、オレイル基等が挙げられ、シクロアルケニル基としては、好ましくは、炭素数３から３０の置換もしくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換もしくは無置換のビシクロアルケニル基、好
ましくは、炭素数５から３０の置換もしくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００２４】
アルキニル基としては、好ましくは、炭素数２から３０の置換または無置換のアルキニル基、例えば、エチニル基、プロパルギル基、トリメチルシリルエチニル基等が挙げられる。
【００２５】
アリール基としては、好ましくは、炭素数６から３０の置換もしくは無置換のアリール基、例えば、フェニル基、ｐ−トリル基、ナフチル基、ｍ−クロロフェニル基、ｏ−ヘキサデカノイルアミノフェニル基等が挙げられる。
【００２６】
複素環基としては、好ましくは、５または６員の置換もしくは無置換の芳香族もしくは非芳香族の複素環化合物から一個の水素原子を取り除いた一価の基であり、更に好ましくは、炭素数３から３０の５または６員の芳香族の複素環基、例えば、２−フリル基、２−チエニル基、２−ピリミジニル基、２−ベンゾチアゾリル基等が挙げられる。
【００２７】
アルコキシ基としては、好ましくは、炭素数１から３０の置換もしくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００２８】
アリールオキシ基としては、好ましくは、炭素数６から３０の置換もしくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００２９】
シリルオキシ基としては、好ましくは、炭素数０から２０の置換もしくは無置換のシリルオキシ基、例えば、トリメチルシリルオキシ基、ジフェニルメチルシリルオキシ基等が挙げられる。
【００３０】
複素環オキシ基としては、好ましくは、炭素数２から３０の置換もしくは無置換の複素環オキシ基、例えば、１−フェニルテトラゾール−５−オキシ基、２−テトラヒドロピラニルオキシ基等が挙げられる。
【００３１】
アシルオキシ基としては、好ましくは、ホルミルオキシ基、炭素数２から３０の置換もしくは無置換のアルキルカルボニルオキシ基、炭素数６から３０の置換もしくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００３２】
カルバモイルオキシ基としては、好ましくは、炭素数１から３０の置換もしくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００３３】
アルコキシカルボニルオキシ基としては、好ましくは、炭素数２から３０の置換もしくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００３４】
アリールオキシカルボニルオキシ基としては、好ましくは、炭素数７から３０の置換もしくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００３５】
アミノ基としては、アルキルアミノ基、アリールアミノ基、複素環アミノ基を含み、好ましくは、アミノ基、炭素数１から３０の置換もしくは無置換のアルキルアミノ基、炭素数６から３０の置換もしくは無置換のアニリノ基、例えば、メチルアミノ基、ジメチルア
ミノ基、アニリノ基、Ｎ−メチル−アニリノ基、ジフェニルアミノ基等が挙げられる。
【００３６】
アシルアミノ基としては、好ましくは、ホルミルアミノ基、炭素数１から３０の置換もしくは無置換のアルキルカルボニルアミノ基、炭素数６から３０の置換もしくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００３７】
アミノカルボニルアミノ基としては、好ましくは、炭素数１から３０の置換もしくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００３８】
アルコキシカルボニルアミノ基としては、好ましくは、炭素数２から３０の置換もしくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００３９】
アリールオキシカルボニルアミノ基としては、好ましくは、炭素数７から３０の置換もしくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００４０】
スルファモイルアミノ基としては、好ましくは、炭素数０から３０の置換もしくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００４１】
アルキルまたはアリールスルホニルアミノ基としては、好ましくは、炭素数１から３０の置換もしくは無置換のアルキルスルホニルアミノ基、炭素数６から３０の置換もしくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
【００４２】
アルキルチオ基としては、好ましくは、炭素数１から３０の置換もしくは無置換のアルキルチオ基、例えば、メチルチオ基、エチルチオ基、ｎ−ヘキサデシルチオ基等が挙げられる。
【００４３】
アリールチオ基としては、好ましくは、炭素数６から３０の置換もしくは無置換のアリールチオ基、例えば、フェニルチオ基、ｐ−クロロフェニルチオ基、ｍ−メトキシフェニルチオ基等が挙げられる。
【００４４】
複素環チオ基としては、好ましくは、炭素数２から３０の置換または無置換の複素環チオ基、例えば、２−ベンゾチアゾリルチオ基、１−フェニルテトラゾール−５−イルチオ基等が挙げられる。
【００４５】
スルファモイル基としては、好ましくは、炭素数０から３０の置換もしくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ‘−フェニルカルバモイル）スルファモイル基等が挙げられる。
【００４６】
アルキルまたはアリールスルフィニル基としては、好ましくは、炭素数１から３０の置換または無置換のアルキルスルフィニル基、６から３０の置換または無置換のアリールスルフィニル基、例えば、メチルスルフィニル基、エチルスルフィニル基、フェニルスルフィニル基、ｐ−メチルフェニルスルフィニル基等が挙げられる。
【００４７】
アルキルまたはアリールスルホニル基としては、好ましくは、炭素数１から３０の置換または無置換のアルキルスルホニル基、６から３０の置換または無置換のアリールスルホニル基、例えば、メチルスルホニル基、エチルスルホニル基、フェニルスルホニル基、ｐ
−メチルフェニルスルホニル基等が挙げられる。
【００４８】
アシル基としては、好ましくは、ホルミル基、炭素数２から３０の置換または無置換のアルキルカルボニル基、炭素数７から３０の置換もしくは無置換のアリールカルボニル基、炭素数２から３０の置換もしくは無置換の炭素原子でカルボニル基と結合している複素環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００４９】
アリールオキシカルボニル基としては、好ましくは、炭素数７から３０の置換もしくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００５０】
アルコキシカルボニル基としては、好ましくは、炭素数２から３０の置換もしくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００５１】
カルバモイル基としては、好ましくは、炭素数１から３０の置換もしくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００５２】
アリールまたは複素環アゾ基としては、好ましくは炭素数６から３０の置換もしくは無置換のアリールアゾ基、炭素数３から３０の置換もしくは無置換の複素環アゾ基、例えば、フェニルアゾ、ｐ−クロロフェニルアゾ、５−エチルチオ−１，３，４−チアジアゾール−２−イルアゾ等が挙げられる。
【００５３】
イミド基としては、好ましくは、Ｎ−スクシンイミド基、Ｎ−フタルイミド基等が挙げられる。
【００５４】
ホスフィノ基としては、好ましくは、炭素数０から３０の置換もしくは無置換のホスフィノ基、例えば、ジメチルホスフィノ基、ジフェニルホスフィノ基、メチルフェノキシホスフィノ基等が挙げられる。
【００５５】
ホスフィニル基としては、好ましくは、炭素数０から３０の置換もしくは無置換のホスフィニル基、例えば、ホスフィニル基、ジオクチルオキシホスフィニル基、ジエトキシホスフィニル基等が挙げられる。
【００５６】
ホスフィニルオキシ基としては、好ましくは、炭素数０から３０の置換もしくは無置換のホスフィニルオキシ基、例えば、ジフェノキシホスフィニルオキシ基、ジオクチルオキシホスフィニルオキシ基等が挙げられる。
【００５７】
ホスフィニルアミノ基としては、好ましくは、炭素数０から３０の置換もしくは無置換のホスフィニルアミノ基、例えば、ジメトキシホスフィニルアミノ基、ジメチルアミノホスフィニルアミノ基が挙げられる。
【００５８】
シリル基としては、好ましくは、炭素数０から３０の置換もしくは無置換のシリル基、例えば、トリメチルシリル、ｔ−ブチルジメチルシリル、フェニルジメチルシリル等が挙げられる。
【００５９】
上記の置換基の中で、水素原子を有するものは、該水素原子が上記の置換基で置換されていても良い。そのような置換基の例としては、アルキルカルボニルアミノスルホニル基、アリールカルボニルアミノスルホニル基、アルキルスルホニルアミノカルボニル基、アリールスルホニルアミノカルボニル基が挙げられる。その例としては、メチルスルホニルアミノカルボニル基、ｐ−メチルフェニルスルホニルアミノカルボニル基、アセチルアミノスルホニル基、ベンゾイルアミノスルホニル基が挙げられる。
【００６０】
式中、Ａで表される芳香族基は置換もしくは無置換の芳香族基を、または複素環基は置
換もしくは無置換の複素環基を含む。芳香族環の例としては、ベンゼン環やナフタレン環を挙げることができる。複素環とは、環を構成する元素として炭素原子のほかにヘテロ原子と呼ばれる酸素、硫黄、窒素などを含むものをいい、複素環に脂肪族環、芳香族環または他の複素環が縮合していてもよい。複素環の例としては、ピロール、フラン、チオフェン、ベンゾピロール、ベンゾフラン、ベンゾチオフェン、ピラゾール、イソキサゾール、イソチアゾール、ベンゾピラゾール、ベンゾイソキサゾール、ベンゾイソチアゾール、イミダゾール、オキサゾール、チアゾール、ベンゾイミダゾール、ベンゾオキサゾール、ベンゾチアゾール、ピリジン、キノリン、イソキノリン、ピリダジン、ピリミジン、ピラジン、フタラジン、キナゾリン、キノキサリン、アクリジン、カルバゾール、プリン、プテリジン、チアジアゾール、トリアゾール、テトラゾールなどが挙げられる。なお、置換基としては上記Ｒ１，Ｒ２，Ｒ３，Ｒ４，ＺまたはＲ７で表される置換基が挙げられる。
【００６１】
Ａとして好ましくは、フェニル基またはナフチル基が挙げられる。
【００６２】
式中、Ｒ１は水素原子または置換基を表す。Ｒ１として好ましくは、水素原子、アルキル基、アリール基または複素環基であり、特に好ましくは、アリール基または複素環基である。Ｒ１の複素環として好ましくは、チオフェン、チアゾール、ベンゾチアゾール、ピロール、ベンゾピロール、イミダゾール、ベンゾイミダゾール、ピリジン、キノリン、ピリダジン、ピリミジン、ピラジンなどが挙げられる。
【００６３】
式中、Ｘは−ＣＲ２＝または窒素原子を表し、Ｘが−ＣＲ２＝である場合のＲ２は水素原子または置換基を表す。Ｒ２で挙げられる置換基として好ましくは電子求引性基である。電子求引性基とは、電子効果で電子求引的な性質を有する置換基であり、置換基の電子求引性や電子供与性の尺度であるハメットの置換基定数σｐ値を用いて表せば、σｐ値が大きい置換基である。例えば、シアノ基、ニトロ基、ハロゲン原子、スルホン基、トリフルオロメチル基、カルバモイル基、アルコキシカルボニル基、アルキル及びアリールスルホニル基などが挙げられる。ハメットの置換基定数σｐ値について若干説明する。ハメット則は、ベンゼン誘導体の反応又は平衡に及ぼす置換基の影響を定量的に論ずるため、１９３５年にL.P.Hammettより提唱された経験則であるが、これは今日広く妥当性が認められている。ハメット則により求められた置換基定数にはσｐ値とσｍ値があり、これらの値は多くの一般的な成書に見出すことができるが、例えば、J.A.Dean編“Lange’s Handbook of Chemistry”第１２版、１９７９年（Mc Graw-Hill）や「化学の領域」増刊、１２２号、９６〜１０３頁、１９７９年（南光堂）に詳しい。Ｒ２で表される電子求引性基として特に好ましくはシアノ基である。
【００６４】
式中、Ｒ３，Ｒ４，Ｚは、それぞれ独立して水素原子または置換基を表す。
【００６５】
Ｒ３、Ｒ４として好ましくは、それぞれ水素原子、アルキル基、アリール基、ハロゲン原子、アルコキシカルボニル基、カルボキシル基、カルバモイル基、ヒドロキシ基、アルコキシ基、シアノ基を挙げることができる。各基は更に置換基を有していても良い。Ｒ3とＲ4が互いに結合して５または６員環を形成しても良い。
【００６６】
Ｚとして好ましくは、水素原子、ハロゲン原子、脂肪族基、芳香族基、ヒドロキシ基、アルコキシ基、アリールオキシ基、アシルオキシ基、複素環オキシ基、アミノ基、アシルアミノ基、ウレイド基、スルファモイルアミノ基、アルコキシカルボニルアミノ基、アリールオキシカルボニルアミノ基、アルキル及びアリールチオ基または複素環チオ基であり、更に好ましくは水素原子、ハロゲン原子、アルキル基、ヒドロキシ基、アルコキシ基、アリールオキシ基、アシルオキシ基、アミノ基、アシルアミノ基であり、特に好ましくは、水素原子、アニリノ基、アシルアミノ基である。各基は更に置換基を有していても良い。
【００６７】
式中、Ｒ５、Ｒ６は、それぞれ独立して水素原子、脂肪族基、芳香族基、複素環基、ア
シル基、アルコキシカルボニル基、アリールオキシカルボニル基、カルバモイル基、アルキルまたはアリールスルホニル基、スルファモイル基を表し、各基は更に置換基を有していても良い。
【００６８】
Ｒ５、Ｒ６として好ましくは、それぞれ水素原子、芳香族基、複素環基、アシル基、アルキルまたはアリールスルホニル基を挙げることができる。特に好ましくは、水素原子、アリール基、複素環基である。各基は更に置換基を有していても良い。ただし、Ｒ５、Ｒ６が同時に水素原子であることはない。Ｒ５とＲ６が互いに結合して５または６員環を形成しても良い。
【００６９】
式中、Ｙは−ＣＲ７＝または窒素原子を表し、Ｙが−ＣＲ７＝である場合のＲ７は水素原子または置換基を表す。Ｙが−ＣＲ７＝である場合のＲ７として好ましくは、水素原子または電子求引性基である。Ｙとして好ましくは、窒素原子であり、これは一般式（４）で表される化合物では、ピリジン化合物に相当する。
【００７０】
式中、Ａ、Ｒ１、Ｒ２、Ｒ3、Ｒ4、Ｒ5、Ｒ6、Ｒ７、Ｚで表される各置換基が更に置換基を有する場合の置換基としては、上記Ｒ１、Ｒ２、Ｒ３、Ｒ４、Ｚ、Ｒ７で挙げた置換基を挙げることができる。また、Ａ、Ｒ１、Ｒ3、Ｒ4、Ｒ5、Ｒ6、Ｚのいずれかの位置に置換基としてさらにイオン性親水性基を有することが好ましい。
【００７１】
置換基としてのイオン性親水性基には、スルホ基、カルボキシル基、ホスホノ基および４級アンモニウム基等が含まれる。前記イオン性親水性基としては、カルボキシル基、ホスホノ基およびスルホ基が好ましく、特にカルボキシル基またはスルホ基が好ましい。
【００７２】
カルボキシル基、ホスホノ基およびスルホ基は塩の状態であってもよく、塩を形成する対イオンの例には、アンモニウムイオン、アルカリ金属イオン（例、リチウムイオン、ナトリウムイオン、カリウムイオン）および有機カチオン（例、テトラメチルアンモニウムイオン、テトラメチルグアニジウムイオン、テトラメチルホスホニウム）が含まれる。カルボキシル基の対イオンとしては、ナトリウムまたはカリウムが好ましく、スルホ基の対イオンとしては、リチウムが好ましい。
【００７３】
一般式（５）で表される染料のなかで、下記一般式（６）で表される染料が好ましい。
【００７４】
【化２】
2007099823.tif 000003
【００７５】
一般式（６）中、Ａ、Ｒ１、Ｘ、Ｒ3、Ｒ4、Ｒ5、Ｒ6は一般式（５）におけるＡ、Ｒ１、Ｘ、Ｒ3、Ｒ4、Ｒ5、Ｒ6と同義であり、Ｒ８、Ｒ９は一般式（５）におけるＲ５およびＲ６と同義である。Ｒ８、Ｒ９として好ましくは、水素原子、アルキル基、アリール基、複素環基、スルホニル基、アシル基であり、さらに好ましくは水素原子、アリール基、複素環基、スルホニル基であり、最も好ましくは、水素原子、アリール基、複素環基である。
【００７６】
本発明において、特に好ましい染料は、下記一般式（７）で表されるものである。
【００７７】
【化３】
2007099823.tif 000004
【００７８】
一般式（７）中、Ａは、置換もしくは無置換の芳香族環を表し、特に好ましくはフェニル基またはナフチル基である。Ｒ1は、置換もしくは無置換の芳香族基または置換もしくは無置換の複素環基を表す。Ｘは、−ＣＲ２＝または窒素原子を表し、Ｘが−ＣＲ２＝を表す場合のＲ２は電子求引性基であり、特に好ましいＲ２はシアノ基である。Ｒ３、Ｒ４は、水素原子、アルキル基、アリール基、ハロゲン原子、アルコキシカルボニル基、カルボキシル基、カルバモイル基、ヒドロキシ基、アルコキシ基、またはシアノ基を表す。Ｑ１、Ｑ２はイオン性親水性基を表し、特に好ましくは、スルホ基またはカルボキシル基であり、ｍおよびｎは１〜３の整数を表す。
【００７９】
一般式（７）で説明した各基は更に置換基を有していても良い。これらの各基が更に置換基を有する場合、置換基としては、一般式（５）で説明した置換基、Ｒ１、Ｒ２、Ｒ３、Ｒ４、Ｚ、Ｒ７で例示した基やイオン性親水性基が挙げられる。
【００８０】
尚、前記一般式（５）で表されるジスアゾ染料の好ましい置換基の組み合わせについては、種々の置換基の少なくとも１つが前記の好ましい基であるジスアゾ染料が好ましく、より多くの種々の置換基が前記好ましい基であるジスアゾ染料がより好ましく、全ての置換基が前記好ましい基であるジスアゾ染料が最も好ましい。
【００８１】
一般式（５）から一般式（７）で表される染料において、Ａ、Ｒ１、Ｒ２、Ｒ3、Ｒ4、Ｒ5、Ｒ6、Ｒ７、Ｒ８、Ｒ９、Ｚの置換基として拡散性を低下させるために写真用素材で使用されるバラスト基や銀塩への吸着基や水溶性を付与する基を有していてもよいし、置換基同士が互いに結合してビス型、トリス型、テトラキス型を形成してもよい。あるいは、これらのいずれかの位置でポリマー鎖と結合してポリマー染料を形成してもよい。また、Ｒ１とＲ２、Ｒ６とＲ７、Ｒ７とＲ８、Ｒ８とＲ９は互いに結合して環状構造を形成していてもよい。
【００８２】
次に一般式（５）で表されるジスアゾ染料の具体例を以下に示すが、本発明に用いられるジスアゾ染料は、下記の例に限定されるものではない。また各染料におけるカルボキシル基、ホスホノ基およびスルホ基は塩の状態であってもよく、塩を形成する対イオンについては前述のとおりである。
【００８３】
【化４】
2007099823.tif 000005
【００８４】
【化５】
2007099823.tif 000006
【００８５】
【化６】
2007099823.tif 000007
【００８６】
【化７】
2007099823.tif 000008
【００８７】
【化８】
2007099823.tif 000009
【００８８】
本発明のジスアゾ染料中のアゾ基は、化合物の構造によってアゾ型およびヒドラゾ型を取り得るが、本発明においてはすべてアゾ型で記載している。その他の互変異性体が存在する場合においても、本発明においては代表的な形の一つで記載しているが、本発明の記述と異なる互変異性体も本発明の化合物に含まれる。
【００８９】
また、本発明では、一般式（１）から一般式（５）で表される化合物は構造中に同位元素（例えば、２Ｈ、３Ｈ、１３Ｃ、１５Ｎ）を含有していてもよい。
【００９０】
前記一般式（１）から一般式（５）で表される化合物には、その合成過程や単離法などによって対塩を伴っているものも含まれる。対塩としてはいずれのものでもよいが、例えば、ハロゲン化物イオン、硫酸イオン、硝酸イオン、炭酸イオン、スルホン酸イオン、リン酸イオン、酢酸イオン、金属イオン、アンモニウムイオンなどが挙げられる。構造によっては分子内塩を形成しても良い。
【００９１】
次に、本発明の一般式（５）で表されるジスアゾ染料の製造方法について詳しく述べる。
【００９２】
本発明の製造方法は、上記一般式（１）で表されるアミン類をジアゾ化剤でジアゾ化した後、上記一般式（２）で表される２−アミノチオフェン類または２−アミノチアゾール類と第１のカップリング反応させ、得られる上記一般式（３）で表されるモノアゾ化合物を単離することなく、ジアゾ化剤でジアゾ化した後、上記一般式（４）で表される化合物と第２のカップリング反応させることを特徴とする。
【００９３】
本明細書では、一般式（１）または一般式（３）で表される化合物をジアゾ化剤によりジアゾ化反応した液を「ジアゾ液」、一般式（２）または一般式（４）で表される化合物に水または有機溶媒を加えた液を「カプラー液」と称する。本発明におけるカップリング反応の添加順序は、ジアゾ液をカプラー液に添加する方法、ジアゾ液にカプラー液を添加する方法のいずれでもよい。また、本明細書では、一般式（１）と一般式（２）の混合液にジアゾ化剤を添加してカップリング反応させる方法、または一般式（３）と一般式（４
）の混合液にジアゾ化剤を添加してカップリング反応させる方法を「ワンポット法」という。
【００９４】
本発明の製造方法において用いられるジアゾ化剤としては、例えば、亜硝酸塩（例えば、亜硝酸リチウム、亜硝酸ナトリウム、亜硝酸カリウムなど）、亜硝酸アルキル（例えば、亜硝酸メチル、亜硝酸エチル、亜硝酸プロピル、亜硝酸ブチル、亜硝酸イソアミルなど）、塩化ニトロシル、ニトロシル硫酸、三酸化二窒素等の窒素酸化物が挙げられる。ジアゾ化剤として好ましくは、亜硝酸塩、亜硝酸アルキル、ニトロシル硫酸であり、特に好ましくは、亜硝酸ナトリウムまたは亜硝酸イソアミルである。
【００９５】
ジアゾ化反応に用いるジアゾ化剤の使用量は適宜選択可能であるが、通常は一般式（１）で表されるアミン類または一般式（３）で表されるモノアゾ化合物に対して０．８〜５モル、好ましくは１．０〜４．０モルの範囲である。特に好ましくは、一般式（１）で表されるアミン類に対するジアゾ化剤の使用量は１．０〜１．２モル、一般式（３）のモノアゾ化合物に対するジアゾ化剤の使用量は、１．０〜３．０モルの範囲である。
なお、ジアゾ化反応が終了した後、過剰のジアゾ化剤を失活させてもよい。ここで用いる失活剤としては、例えば、アミド硫酸や尿素が挙げられる。
【００９６】
ジアゾ化反応に用いる酸としては、例えば、塩化水素酸、臭化水素酸、硫酸、リン酸等の無機酸またはギ酸、酢酸、プロピオン酸、メタンスルホン酸等の有機酸が挙げられる。特に好ましくは塩化水素酸である。
【００９７】
ジアゾ化反応に用いる酸の使用量は適宜選択可能であるが、通常は一般式（１）で表されるアミン類または一般式（３）で表されるモノアゾ化合物に対して２〜１５モル、好ましくは２．５〜５モルの範囲である。酸の使用量が上記範囲であれば生成するジアゾニウム塩の安定性が良好である。
【００９８】
ジアゾ化反応における溶媒は、反応に不活性であれば制限されるものではなく、例えばギ酸、酢酸、プロピオン酸等の有機酸や水、アセトン、メチルエチルケトン、アセトニトリル、プロピオニトリル、ブチロニトリル、アルコール（例えば、メタノール、エタノール、イソプロピルアルコール等）、テトラヒドロフラン、１，４−ジオキサン、Ｎ，Ｎ−ジメチルホルムアミド（ＤＭＦ）、Ｎ，Ｎ−ジメチルアセトアミド（ＤＭＡＣ）、Ｎ，Ｎ−ジメチルイミダゾリジノン（ＤＭＩ）、スルホラン、ジメチルスルホキシド（ＤＭＳＯ）、Ｎ−メチルピロリドン（ＮＭＰ）等の親水性有機溶媒が挙げられる。また、これらの溶媒を混合して用いることも可能である。
【００９９】
使用する溶媒の量は特に制限されるものではないが、反応速度、作業性、経済性等より適宜決定される。
【０１００】
ジアゾ化反応の反応温度は特に限定されず、反応系の種類や反応種の化合物の濃度などに応じて適宜選択できるが、通常は約−１０〜約５０℃、好ましくは約０〜約３０℃の範囲から選択される。反応温度が上記範囲であればジアゾニウム塩の安定性が良好である。
【０１０１】
ジアゾ化反応の反応時間は、反応剤の量、反応温度により異なるので一概に規定されないが、通常約１０分〜約２４時間の範囲から選択すればよい。
【０１０２】
本発明の製造方法において「カプラー液」の溶媒としては、上記ジアゾ化反応で用いられる溶媒と同義であり、好ましくは、水、アルコール、アセトンまたはそれらの混合液である。
【０１０３】
本発明の製造方法においてカップリング反応の反応温度は特に限定されず、反応系の種類や反応種の化合物の濃度などに応じて適宜選択できるが、通常は０〜８０℃、好ましく
は５〜５０℃の範囲から選択される。
【０１０４】
カップリング反応の反応時間は、反応剤の量、反応温度により異なるので一概に規定されないが、通常約１０分〜約２４時間の範囲から選択すればよい。
【０１０５】
カップリング反応に用いる反応溶媒の使用量は特に限定されず、反応系の種類などに応じて適宜選択することができるが、通常は一般式（１）で表される化合物あるいは一般式（３）で表される化合物に対して溶媒を質量比でそれぞれ３〜１００倍程度が適当であり、５〜３０倍が好ましく、特に好ましくは１０〜２０倍程度である。
【０１０６】
一般式（１）で表される化合物、ジアゾ化剤、一般式（２）で表される化合物、反応溶媒の反応系内への添加順序は任意であり、特に限定されないが、好ましくは、一般式（１）で表される化合物をジアゾ化剤でジアゾ化反応させた「ジアゾ液」を一般式（２）で表される化合物の「カプラー液」に添加する順序が好ましい。
【０１０７】
一般式（３）で表される化合物、ジアゾ化剤、一般式（４）で表される化合物、反応溶媒の反応系内への添加順序は任意であり、特に限定されないが、好ましくは、一般式（３）で表される化合物と一般式（４）で表される化合物を混合した後にジアゾ化剤を添加する「ワンポット法」が好ましい。
【実施例】
【０１０８】
以下、本発明を実施例によりさらに詳細に説明するが、本発明は下記実施例に制限されるものではない。なお、実施例においてＨＰＬＣ純度とは、高速液体クロマトグラフィーを用いて検出波長２５４ｎｍで測定したときの面積パーセントを意味する。
【０１０９】
一般式（２）で表される２−アミノチオフェン類の合成法に関しては、特開２００５−２００３７５に記載した方法により合成した。一般式（２）で表される２−アミノチアゾール類の合成法は、α−ハロケトン化合物とチオ尿素の縮合反応により合成した。
（実施例１）
＜合成例：例示染料（Ｄ−１８）の合成＞
３−アミノナフタレン−１，５，７−トリスルホン酸モノナトリウム塩（Ａ−１）８９．３ｇ（０．２２モル）に水４００ｍＬと濃塩酸７３．３ｍＬ（０．８８モル）を加えて、内温を５℃以下に冷却した液に亜硝酸ナトリウム１５．５ｇ（０．２２モル）を水３０ｍＬに溶解させた水溶液を３０分かけて滴下した（内温は５℃以下に保つ）。内温５℃以下で１時間攪拌した後、スルファミン酸１．０ｇを分割添加して、さらに内温５℃以下で１５分間攪拌した（ジアゾ液Ａ）。
【０１１０】
２−アミノ−３−シアノ−４−ナフチルチオフェン（Ａ−２）５０．０ｇ（０．２０モル）にアセトン５００ｍＬと水２００ｍＬを加えて完溶し、室温で前記ジアゾ液Ａを分割添加した。ジアゾ液を１／２添加したところで反応液に水１１７ｍＬを添加して、さらに残りのジアゾ液を１／２添加した。室温で１時間攪拌した後、４Ｍ水酸化リチウム水溶液約２４０ｍＬで中和してモノアゾ化合物を含む反応液を得た。この反応液をフィルターろ過（不溶物除去のため）した後、反応容器を１００ｍＬの水でかけ洗いした。ここで得られたろ液（洗浄水を含む）に（Ａ−３）９２．０ｇ（０．２０モル）を加えて攪拌したところに室温で亜硝酸イソアミル２８．０ｍＬ（０．２モル）を添加した。室温で１時間攪拌して、４Ｍ水酸化リチウム水溶液約９３ｍＬで中和後、反応液を内温６０℃まで昇温した。この反応液にイソプロピルアルコール１．５Ｌを２５分かけて滴下して、析出した結晶をろ取、イソプロピルアルコール１Ｌで洗浄して染料（Ｄ−１８）１５８ｇ（０．１３８モル、単離収率６９％、ＨＰＬＣ純度９５％）を得た。
【０１１１】
【化９】
2007099823.tif 000010
【０１１２】
（実施例２）
＜合成例：例示染料（Ｄ−３７）の合成＞
２−アミノ−４−ナフチルチアゾール（Ａ−４）４．５３ｇ（２０ミリモル）にアセトン４０ｍＬと水１０ｍＬを加えて完溶し、さらに、３−アミノナフタレン−１，５，７−トリスルホン酸モノナトリウム塩（Ａ−１）９．７３ｇ（２４ミリモル）に水５０ｍＬを加えた水溶液を添加した。反応混合液をｐＨ２〜３になるように４Ｍ水酸化リチウムを添加して（約３ｍＬ）、室温で亜硝酸イソアミル２．９４ｍＬ（２１ミリモル）を添加した。室温で１時間攪拌した後、得られたモノアゾ化合物を含む反応液をフィルターろ過（不溶物除去のため）した後、反応容器を１５ｍＬの水でかけ洗いした。ここで得られたろ液（洗浄水を含む）に（Ａ−３）１１．０５ｇ（２４ミリモル）を加えて、反応液をｐＨ２〜３になるように４Ｍ水酸化リチウムを添加して（約１３ｍＬ）、反応液を４０℃まで昇温して、亜硝酸イソアミル５．６ｍＬ（４０ミリモル）を添加した。４０℃で１時間攪拌した後、４Ｍ水酸化リチウム水溶液で中和して（約８ｍＬ）、反応液を内温６０℃まで昇温した。この反応液にイソプロピルアルコール１３５ｍＬを２０分かけて滴下して、析出した結晶をろ取、イソプロピルアルコール２００ｍＬで洗浄して染料（Ｄ−３７）１５．３４ｇ（単離収率６８％、ＨＰＬＣ純度９７％）を得た。
【０１１３】
【化１０】
2007099823.tif 000011
【０１１４】
各染料の水中の吸収極大波長（ｎｍ）およびε（モル吸光係数）を下記表１に示す。
【０１１５】
【表１】
2007099823.tif 000012
【０１１６】
上記の実施例に示されるように本発明のジスアゾ染料の製造方法によれば、前記一般式（５）で表されるチオフェン環やチアゾール環にアゾ基が２つ置換したジスアゾ染料、特に分子内にイオン性親水性基を１つ以上有するジスアゾ染料が簡便で高収率に得られることが分かる。